(57)【要約】【課題】ＩＣタグ付きの商品を効率的に管理できるようにした回転式の商品陳列装置を提供すること。【解決手段】基台１０と、基台１０に回転可能に立設した非金属製の支持部材２０と、支持部材２０にある複数の取付部位にそれぞれ着脱自在に取り付けられる複数の非金属製の陳列用部材３０とを備え、各陳列用部材３０にはそれぞれＩＣタグＴ’が取り付けられており、支持部材２０には陳列用部材３０を取り付ける複数の取付部位を周回する状態でタグリーダーのアンテナ２２が内蔵されている。陳列用部材３０に載っているＩＣタグ付き商品１の情報を読み取ることができ、しかも陳列用部材３０の情報も読み取ることができることから、手で持ったタグリーダーで商品をなぞって情報を読み取るようなことをしなくても、陳列用部材３０ごとの商品管理を効率良く行うことができる。【選択図】図１
2007296270.tif 000002
【特許請求の範囲】
【請求項１】
ＩＣタグが付いた商品を陳列する商品陳列装置であって、基台と、基台に回転可能に立設した非金属製の支持部材と、支持部材にある複数の取付部位にそれぞれ着脱自在に取り付けられる複数の非金属製の陳列用部材とを備え、各陳列用部材にはそれぞれＩＣタグが取り付けられており、支持部材には陳列用部材を取り付ける複数の取付部位を周回する状態でタグリーダーのアンテナが内蔵されていることを特徴とする商品陳列装置。
【請求項２】
支持部材として、上下方向の２枚の板材がクロスした形状のものを用いたことを特徴とする請求項１に記載の商品陳列装置。
【請求項３】
基台に装置全体を移動可能とするための手段を設けたことを特徴とする請求項１又は２に記載の商品陳列装置。
【発明の詳細な説明】
【技術分野】
【０００１】
本発明は、店頭において、書籍類、ディスク類、雑貨類を始めとする各種の商品を陳列するために用いられる回転式の商品陳列装置に関するものである。
【背景技術】
【０００２】
従来より、書店やコンビニエンスストアなどの店頭において、各種の書籍や、パッケージに入れたビデオディスクやコンパクトディスクのようなディスク類、箱入りの高級下着などの雑貨類を始めとする各種の商品を陳列するために、上下方向に長い移動式の商品陳列装置が広く利用されている。通常、このタイプの商品陳列装置は、移動可能な基台に立設した支柱を中心に回転する陳列部を有しており、その陳列部に商品を立てた状態で並べるように構成されている。そして、消費者は、陳列部を回転させながら所望の商品を選んで購入することができるようになっている。
【特許文献１】登録実用新案第３１１２５２６号公報
【特許文献２】特開２００３−５２５０１号公報
【発明の開示】
【発明が解決しようとする課題】
【０００３】
上記した回転式の商品陳列装置は、店頭における少しのスペースを利用して設置することができ、しかも多くの商品を陳列することができる。また、移動可能であるため目立つところに設置できるので、販売促進の効果が大きいという利点もある。しかしながら、商品が売れて空きができても、その空きスペースが裏側だと見えにくいため、補充を忘れるということがある。
【０００４】
一方、最近では、棚上に置かれた商品を管理する手段として、ＩＣタグを利用した方法が知られている。すなわち、商品毎にＩＣタグを取り付けておき、棚に並んだ商品に手で持ったタグリーダーを近づけて順になぞり、商品毎のＩＣタグを読み取ることにより管理することが行われるようになってきている。ところが、平面的な通常の棚の場合は並んでいる商品をタグリーダーでなぞるのは比較的簡単であるが、上記したような回転式の商品陳列装置では、商品が平坦に並んでいないため、タグリーダーでなぞるのは簡単ではなく、余計な手間がかかってしまう。
【０００５】
本発明は、上記のような問題点に鑑みてなされたものであり、その目的とするところは、ＩＣタグ付きの商品を効率的に管理できるようにした回転式の商品陳列装置を提供することにある。
【課題を解決するための手段】
【０００６】
請求項１に記載の発明である商品陳列装置は、ＩＣタグが付いた商品を陳列する商品陳列装置であって、基台と、基台に回転可能に立設した非金属製の支持部材と、支持部材にある複数の取付部位にそれぞれ着脱自在に取り付けられる複数の非金属製の陳列用部材とを備え、各陳列用部材にはそれぞれＩＣタグが取り付けられており、支持部材には陳列用部材を取り付ける複数の取付部位を周回する状態でタグリーダーのアンテナが内蔵されていることを特徴としている。
【０００７】
請求項２に記載の発明である商品陳列装置は、請求項１に記載の商品陳列装置において、支持部材として、上下方向の２枚の板材がクロスした形状のものを用いたことを特徴としている。
【０００８】
請求項３に記載の発明である商品陳列装置は、請求項１又は２に記載の商品陳列装置において、基台に装置全体を移動可能とするための手段を設けたことを特徴としている。
【発明の効果】
【０００９】
請求項１に記載の発明である商品陳列装置は、支持部材に取り付けた陳列用部材に商品を並べると、その陳列用部材の回りにタグリーダーのアンテナが周回しているので、陳列用部材に載っているＩＣタグ付き商品の情報を読み取ることができ、しかも陳列用部材にＩＣタグが付いているので、陳列用部材の情報も読み取ることができることから、手で持ったタグリーダーで商品をなぞって情報を読み取るようなことをしなくても、陳列用部材ごとの商品管理を効率良く行うことができる。
【００１０】
請求項２に記載の発明である商品陳列装置は、請求項１に記載の商品陳列装置において、支持部材として、縦方向の２枚の板材がクロスした形状のものを用いたので、合計８面を利用して陳列用部材と商品を適宜配置することができ、また例えば何れかの取付部位にモニターなどの他の物品を取り付けるなどの工夫を施すことも可能となる。
【００１１】
請求項３に記載の発明である商品陳列装置は、請求項１又は２に記載の商品陳列装置において、基台に装置全体を移動可能とするための手段を設けたので、上記の効果に加え、簡単に任意の場所に移動して設置できるという効果を奏する。
【発明を実施するための最良の形態】
【００１２】
以下、具体例を挙げて本発明の実施の形態について説明する。
【００１３】
図１は本発明に係る商品陳列装置の一例を示す斜視図である。
【００１４】
この商品陳列装置Ａは、ＩＣタグが付いた商品を陳列するためのものである。このような商品としては、例えば、図２に示すような書籍１、図３に示すような樹脂ケースに入ったビデオディスク２、図４に示すような箱入り商品３が挙げられる。図２の書籍１は表紙の背の部分にＩＣタグＴを装着してあり、図３のビデオディスク２は樹脂ケースの背の部分にＩＣタグＴを装着してあり、図４の箱入り商品３は箱の横側にＩＣタグＴを装着している。なお、本発明の商品陳列装置に並べる商品の種類はこれらに限定されるものではない。
【００１５】
商品陳列装置Ａは、図示のように、基台１０と、基台１０に立設した背の高い支持部材２０と、支持部材２０にある複数の取付部位にそれぞれ着脱自在に取り付けられる複数のボックス状の陳列用部材３０とを備えており、この商品陳列装置Ａでは、陳列用部材３０の中にＩＣタグ付きの書籍１が並べられている。
【００１６】
基台１０はベアリングを内蔵した２枚の板状部材１１，１２から構成され、これによって支持部材２０は基台１０に回転自在に立設した状態になっている。また、図示の如く基台１０の裏面側には、装置全体を移動可能とするための手段として複数個のキャスター１３が取り付けられている。
【００１７】
支持部材２０は上下方向の２枚の板材が直角にクロスした形状をしており、中心から延びる４つの板部にはそれぞれ上下方向に間隔を置いて４つの取付孔２１が設けられている。この支持部材２０の素材は非金属であればよく、例えば化粧合板が好適に用いられる。そして、支持部材２０には、図の点線で示すように、陳列用部材３０を取り付ける複数の取付部位を周回する状態でタグリーダーのアンテナ２２が内蔵されている。図示のものでは、直交する一方の板材と他方の板材のそれぞれにおいて隣接する２つの取付部位を囲むようにしてそれぞれループ状のアンテナ２２が設けられている。すなわち、ループ状のアンテナ２２が直交状態で上下に４組配置されている。
【００１８】
陳列用部材３０はボックス状で、背面にフック３１が設けられており、このフック３１を支持部材２０の取付孔２１に引っ掛けることで、陳列用部材３０を支持部材２０の所定の取付部位に着脱自在に取り付けることができる。この陳列用部材３０の素材は非金属であればよく、通常はポリプロピレン等の樹脂製のものが用いられる。そして、この陳列用部材３０には所定の場所にＩＣタグＴ’が取り付けられている。
【００１９】
商品に取り付けるＩＣタグＴは、周知のＲＦＩＤ（無線による自動認識技術）タグであって、主にＩＣチップで構成される記憶部と、通信部及びアンテナからなっており、記憶部はリードライトが可能になっている。中でも、インレット型と呼ばれる小型のものが好適である。このインレット型のＩＣタグは、０．０１〜０．５ｍｍ角の小さなＩＣチップを用い、これに長さ５０〜６０ｍｍの外部アンテナを装着して幅が約１ｍｍのテープ状としたものであり、ＩＣチップはＰＥＴフィルム等の絶縁性のベースフィルム上に載置接合され、外部アンテナはそのベースフィルム上に印刷により形成される。
【００２０】
陳列用部材３０に取り付けるＩＣタグＴ’は、上記したインレット型でもよいが、サイズがそれ程小さくなくてもよいので、通常のＩＣタグを用いてもよい。
【００２１】
一方、タグリーダーは、それ自身のアンテナ２２とＩＣタグＴ，Ｔ’のアンテナとの間で電波の送受信を行う周知のもので、非接触で各種商品の情報が同時に読取り可能になっている。そして、タグリーダーのアンテナ２２には読取り部としてのリーダー回路が接続され、リーダー回路には管理端末としてのパソコンが接続されている。
【００２２】
この商品陳列装置Ａにおける商品の管理方法は次のようである。まず、商品陳列装置Ａに接続されたパソコンに、複数個ある陳列用部材３０の用途や収納力などの情報を入力するとともに、それらの陳列用部材３０に並べられる書籍１の種類などの情報を予め入力しておく。そして、商品の確認をする時間になったら、陳列用部材３０のＩＣタグＴ’に書き込まれた情報を読み取るとともに、各書籍１のＩＣタグＴに書き込まれた物品情報を読み取るようにする。この場合、陳列用部材３０を周回する状態でアンテナ２２が設けられているので、陳列用部材３０のＩＣタグＴ’とそれに載っている書籍１のＩＣタグＴを確実に読み取ることができる。
【００２３】
そして、タグリーダーのアンテナ２２により検出された情報の信号はリーダー回路に入力され、リーダー回路からパソコンへと送られる。パソコンでは、入力された信号により、それぞれの陳列用部材３０にどの書籍が存在するかを自動的に確認することができる。したがって、手で持ったタグリーダーで書籍をなぞって情報を読み取るようなことをしなくても、陳列用部材３０ごとの商品管理を効率良く行うことができる。そして、この情報をもとに欠品となった書籍の自動発注を行うこともできる。
【００２４】
また、商品陳列装置Ａは、支持部材２０におけるすべての取付部位に陳列用部材３０を取り付けてもよいが、店頭での種々の効果を狙って、例えば図示のようなモニター４０を設置することもできるし、さらにはその他の物品を取り付けることも可能である。
【００２５】
以上、具体例を挙げて本発明を説明したが、本発明による商品陳列装置は、上記の例に何ら限定されるものではなく、本発明の趣旨を逸脱しない範囲において種々の変更が可能であることは当然のことである。
【００２６】
例えば、上記の例では、支持部材２０として、上下方向に４つの取付部位をもつものを使用したが、支持部材における取付部位の数は任意であり、商品の種類や展示スペースなどの状況を考慮して設計すればよい。また、支持部材２０として、上下方向の２枚の板材がクロスした形状のものを用いたが、一枚の板材で構成したものであってもよい。
【００２７】
また、上記の例では、支持部材２０における取付部位を周回する状態でタグリーダーのアンテナを設けたが、複数の取付部位に対して一つのアンテナを周回させるようしてもよい。
【図面の簡単な説明】
【００２８】
【図１】本発明に係る商品陳列装置の一例を示す斜視図である。
【図２】ＩＣタグ付き商品の一例としての書籍を示す斜視図である。
【図３】ＩＣタグ付き商品の一例としてのビデオディスクを示す斜視図である。
【図４】ＩＣタグ付き商品の一例としての箱入り商品を示す斜視図である。
【符号の説明】
【００２９】
Ａ  商品陳列装置
Ｔ，Ｔ’  ＩＣタグ
１  書籍
２  ビデオディスク
３  箱入り商品
１０  基台
１１，１２  板状部材
１３  キャスター
２０  支持部材
２１  取付孔
２２  アンテナ
３０  陳列用部材
３１  フック
４０  モニター
【図１】
2007296270.tif 000003
【図２】
2007296270.tif 000004
【図３】
2007296270.tif 000005
【図４】
2007296270.tif 000006